(57)【要約】【課題】被測定面に当接したときに、左右と前後の仔細な傾斜の度合いを数値で同一の測定面から測定するには、従来の水準器は不十分であった。【解決手段】容器体１の長手方向となる測定面１ａを、方形の平面とした内殻体表面２ａと、その面に平行を保ち液体が流動するのに支障を生じない限りの狭い離れ有して、内殻２を囲む透明な外殻体内面３ａから成る密閉された連続の中空部４に、測定面の中位まで液体を封入して、容器体１が左右や前後に傾斜したとき液体５が中空部４内を流動して液体表面線６が常に水平を保つことから内殻体表面２ａに記入されている、左右と前後の傾斜目盛に対する液体表面線６の位置により傾斜の度数数値を測定する。【選択図】  図１
2005010129.tif 000002
【特許請求の範囲】
【請求項１】
容器体の長手方向となる測定面を、方形の平面とした内殻体表面とその面に平行を保ち、液体が流動するのに支障を生じない限りの狭い離れを有して、内殻を囲む透明な外殻体内面からなる、密閉された連続の中空部に測定面の中位まで液体を封入して、その液体表面線の水平軸を水平基線とし、水平基線全幅の中心点を基点とする放射状の左右傾斜目盛を、前記の内殻体表面に記入することから成る水準器。
【請求項２】
請求項１に記載の構成において、容器体が水平基線と直交の方向となる前後に傾斜したときに、液体が中空部内を移動して水平を保つ、その液体液体表面線の基点に対する変位を、水平基線を共通の水平基線とした直線状の前後傾斜目盛として、内殻体表面と同一面上に記入することから成る水準器。
【請求項３】
請求項１の測定目盛である放射状の左右傾斜目盛と、その目盛と同一計測面上に記入の、請求項２の測定目盛である前後傾斜目盛とが示す傾斜の角度が、同一となる目盛線の段階度の端点を結び、連続線とすることを特徴とする水準器
【請求項４】
請求項１又は２に記載の構成おいて、液体の表面線が水平基線と同位置に在るとき、容器体の底面を液体の表面と平行面とし、かつ左右の側面を底面に対して直角面とする水準器。
【発明の詳細な説明】
【０００１】
【発明の属する技術分野】本発明は容器体の傾斜により、容器内の連続中空部を移動する液体表面線によって、左右と前後の傾斜を同時に測定する水準器。
【０００２】
【従来の技術】従来この種の水準器には、透明な半球形と台座を一体にした容器に液体と小さい気泡または浮子を封入して、容器の傾斜により気泡または浮子が半球内を移動する、その位置を容器表面に記入された罫線から読取り、当該測定面の勾配状態を把握する方法が採られていた。
【０００３】
【発明が解決しようとする課題】しかし、かかる容器と気泡または浮子の移動によって傾斜を把握する方法では
（１）気泡または浮子は球状等の体積を持つことから、指標が鋭点とならないために、傾斜の度数を明確に読取り難い。
（２）気泡または浮子による指標は、半球面体の全方向に移動出来ることから左右と前後の傾斜が合成された方向に移動するために、被測定面の左右軸とその前後軸の、各々の傾斜数値を掴み難い。
（３）被測定物が柱等の竪状である場合に、容器は平面状態にて使用する形状であるために、直角当板等の媒体が必要となるため迅速に測定し難い。
（４）半球体内空の、ほぼ全容積を液体で充満することから、外気熱等による膨張、収縮の影響を受け易くなり、指標の信頼が損なわれる。
（５）罫線を容器の外面に記入するため、容器の損傷や磨耗の影響を受け易い等の課題があり、左右と前後の傾斜を同時に把握するには不十分であった。
【０００４】
左右と前後の傾斜や水平状態を、同一面上の計測目盛によって迅速にかつ同時に度数値にて把握することは、平面や竪面に物を据えたり設置する作業にあって能率化や省力化に及ぼす効果は大きいが、本発明は、連続する中空部を移動して水平となる液体表面線を測指針に用いて前後と左右の傾斜を同時に測定する水準器を提供する。
【０００５】
【課題を解決するための手段】上記の目的を達成するために、本発明の水準器は容器体１の長手方向となる測定面１ａを、方形の平面とした内殻体表面２ａとその面に平行を保ち、液体が流動するのに支障を生じない限りの狭い離れを有して、内殻体２を囲む透明な外殻体内面３ａから成る密閉された連続の中空部４に、測定面１ａの中位まで液体５を封入して、その液体表面線６の水平軸を水平基線７とし、その水平基線全幅の中心点を基点８とする放射状の左右傾盛目盛９を、内殻体表面２ａに記入したものであり、そして、容器体１が水平基線７と直交の方向となる前後に傾斜したときに、液体５が中空部４内を移動して水平を保つ、その液体表面線６の基点８に対する変位を、水平基線７を共通の水平基線とした直線状の前後傾斜目盛１０として、内殻体表面２ａと同一面上に記入したものであり、また、放射状の左右傾斜目盛９と、その目盛と同一計測面上に記入された前後傾斜目盛１０とが示す傾斜の角度が、同一となる目盛線の段階度の端点１２を結び、連続線としたものであり、さらに、液体表面線６が水平基線７と同位置に在るとき、容器体１の底面１ｂを液体の表面と平行面とし、かつ左右の側面１ｃを底面１ｂと直角面としたものである。
【０００６】また、液体５は流動性があれば、水溶液や化成溶液またはアルコール等を用いてよく、計測面との対比を識見し易くするために有色としたり透明であってもよい。
【０００７】
【実施例】以下には、本発明の具体的な実施例について図面に基づき説明する。図１は、本発明実施例の斜視図を、一部切開いて見た図解図である。水準器の容器体１は、主に矩形の立方体をし、ガラスや樹脂で作られた不透明な内殻体２と、液体が流動するのに支障を生じない限りの狭い離れを有して、内殻体２の表面外周を、ガラスや樹脂で作られた透明な外殻体３が囲み、両側を閉鎖することによる密閉された連続の中空部４から構成されている。
【０００８】そして、内殻体表面２ａは容器体１の長手方向を測定面１ａとするために、方形の平面をしていて、その面に平行を保つ外殻体の内面３ａが囲んで創られる前記の中空部に、液体５を測定面の中位まで封入して、容器体１の底面１ａが水平面であるとき、その液体表面線６の水平軸を水平基線７としてその全幅の中心点を基点８とした度数表示の放射状の左右傾斜目盛９を、内殻体表面２ａに記入することにより、容器体１が左右に傾斜しても液体５が中空部４内を移動して、表面線が水平を保つことから、その液体表面線６の示す位置が、度数にて表示された左右傾斜目盛９に対して、何位であるかを読み取って左右の傾斜測定や水平調整を行う。
【０００９】また、容器体１が水平基線７と直交の方向となる前後に傾斜したときに液体５が中空部４内を移動して水平を保つことから、その液体表面線６の基点８に対する変位を前後の勾配として捉え、前記の左右傾斜目盛９を記入した内殻体表面２ａと同一測定面上に、左右傾斜目盛の水平基線７を共通の水平基線とした、直線状の前後の傾斜目盛１０を記入することにより、容器体１を前後に傾斜した被測定面に当接させたときに、液体５が中空部４内を移動して表面線が水平を保つことから、その液体表面線６の示す位置が、度数にて表示された前後傾斜目盛１０に対して、何位であるかを読み取って前後の傾斜測定や水平調整を行う。
【００１０】図２は、本発明実施例の正面図である。内殻体２とその表面２ａに記入された測定目盛と、中空部４に封入された液体５を透明な外殻体３の外部から透過して見たもので、測定目盛は基点８を芯とする放射状の左右傾斜目盛９と、水平基線７を共通の水平基線とする前後傾斜目盛１０からなり、左右傾斜目盛９と前後傾斜目盛１０は傾斜角度が同一となる目盛線の端点１３を５度あるいは１０度等の区分度毎に結び、左右と前後の共棲目盛表示とすることで角度を読む錯誤の軽減と表示の省略を計る。
【００１１】図３は、本発明実施例の断面図である。容器体１の長手方向となる測定面１ａを、方形の平面とした内殻体表面２ａとその面に平行を保ち、液体が流動するに支障を生じない限りの狭い離れを有して、内殻を囲む透明な外殻体内面３ａを、側面１ｃを閉鎖することによる密閉された連続の中空部４に封入された液体５から構成され、中空部に封入された液体５は容器が左右、前後に傾斜した時にも、この中空部４を移動して水平を保持する、その液体表面線６が測定目盛に対して示す位置により、傾斜の何位であるかを把握する。
【００１２】そして、計測目盛は内核体表面２ａに記入されるために、容器体１の表面の損傷や磨耗の影響を受けにくい。
【００１３】また、容器体１の断面の中央Ｙ−Ｙからの左右を本発明の構成とすれば、容器体１を反転しても同一の効果が得られる。
【００１４】図４は、本発明実施例の他の使用実施例による斜視図である。被測定物が長辺であるとき、出来るだけ長辺の水準器であるほうが傾斜の測定誤差を少なく出来るが、本発明水準器の底面１ｂと平行面となる底面を持つ台座に本発明水準器を組み込み、台座の底面を被測定面に当接することにより本発明実施例の効果を得ることが出来る。
【００１５】図５は、本発明実施例の他の実施例による断面図である。本発明に係わる水準器は、測定面を方形の平面とした内殻体表面２ａとその面に平行を保ち、液体が流動する離れを有して内殻を囲む、透明な外殻体内面３ａからなる密閉された連続の中空部４に測定面の中位まで液体５を封入することを特徴としているため、外殻体の形状や中空部の傾斜等の実施例は、Ａのように容器を立方体とし中空部を台形としたり、Ｂのように容器を三角型状とし中空部も三角形としたり、Ｃのように容器を立方体として表面の補強と計測目盛の拡大を兼ねる凸型を設け、中空部を矩形とすることが出来る。
【００１６】また、Ｄのように容器体を、容器の補強と計測目盛の拡大を兼ねた円筒形とし、中空部を三角形にして斜上から計測目盛を読み取りし易いようにして図４の台座に組み込んだり、本発明の実施例やＡ、Ｂ、Ｃ、に示す実施例を小型にして前記の台座に組み込む構成とすることも出来る。
【００１７】さらに、容器体の外辺にはマグネットや刺しピンを付設して、鋼材や木材等を設置したり測定する時には、手で支持していなくともよい構成も考えられる。
【００１８】
【作用】上記のように構成することにより、本実施例は次ぎのように用いる。
図６は、本発明実施例の使用説明図であり、Ａは設置物を平面状に敷設したりその傾斜や水平状態を把握するときの使用例であって、被測定面が前後に傾斜が無くて、左右にのみ図示のようにθａの傾斜があるとき、底面１ｂを被測定面に押し当てると、液体表面線６は基点８を通り水平となるために、度数にて表示の傾斜目盛のθａに位置することにより傾斜の何位であるかを読み、左右の傾斜測定や水平調整を行う。  ＢはＡに倣う使用状況ではあるが、Ｃのように被測定面が前後にθｄの傾斜があり、さらに左右にも前記θａの傾斜があるときに容器体１の低面１ｂを被測定面に押し当てると、容器体１は水平に対し同じくθａの傾斜となるが被測定面に前後の傾斜θｄがあるために、液体表面線６は垂直基線１１上において度数にて表示の傾斜目盛１０のθｄを通る水平線となることにより、その前後傾斜の何位であるかを読み傾斜測定や水平調整を行う。
【００１９】さらに容器体１に左右の傾斜が無くて、前後にのみ傾斜がある場合に液体表面線６は基点８を通らずに基点８に対して上部、または下部に位置して水平となるため、液体表面線６は垂直基線１１上において度数にて表示されている前後傾斜目盛１０の位置することにより傾斜の何位であるかを読み、前後の傾斜の何位であるかを読み傾斜測定や水平調整を行う。
【００２０】また、被測定面がＢの状態であるとき、液体表面線６は基点とは交接していないため、左右傾斜目盛９に対してθｂとθｃに位置して左右の示す傾斜が異なることからも、被測定面が前後に傾斜していることが判断できる
【００２１】なお、被測定面が、Ｂの状態であるとき左右の傾斜を測定するには液体表面線６が基点を通る位置に、容器の前後傾斜を調整すればよい。
Ｃは設置物を竪面状に敷設したり、その傾斜や垂直状態を把握するときの本実施例の使用例であって、水準器の側面を竪の被測定面に当接して、前面の出入りを揃えることにより、Ａ及びＢと同様の効果を得ることが出来る。
【００２２】
図７は、本発明実施例の他の使用実施例による使用説明図。図４の構成とした水準器の台座底面をθｆ傾斜した被測定面に当接すると、図６のａ、ｂ、ｃの効果を得、前後に傾斜が無い時に液体表面線は基点を通りθｆの度数目盛に位置する。また水準器２として台座底面と直角に取り付ければ、被測定面が竪面状である時に台座の底面を当接すれば、図６のＣの効果を得ることが出来る。
【００２３】
【発明の効果】本発明による請求項１及び請求項２の構成によれば、計測面に記入された度数目盛に対して、直線の液体表面線である測指針よって何位を示すため課題（１）を達成し、そして左右と前後の傾斜を個々の指標にて示すため課題（２）を達成し、また液体が流動するのに支障を生じない限りの狭い中空部に液体を封入するため課題（４）を達成し、さらに計測目盛を内殻体表面に記入するため課題（５）を達成する。
請求項４の構成によれば、竪状の被測定面に容器の側面を当接するのみであるため課題（４）を達成する。
【００２４】平面や竪面の部材を構築したり、器材を設置する場合に左右と前後の傾斜を同一計測面の測定目盛により、測定したり迅速に傾きを矯正することは作業の能率化や効率化に役立つものであるが、それを達成するために本発明は、連続する中空部を移動して水平となる液体表面線を、測指針に用いて前後と左右の傾斜を同時に測定する水準器である。
【００２５】さらに、実施例が示すように本発明の水準器は構成が簡単であるために提供し易く、さらに単体として携帯用としたり、台座に組み込んで長尺の水準器とするなど、使用場所や用法、形状にも容易に対応出来る。
【図面の簡単な説明】
【図１】本発明実施例の全体を示す斜視図の一部を切開いた図解図
【図２】同実施例の正面図
【図３】同実施例の断面図
【図４】同実施例の他の使用実施例による斜視図
【図５】同実施例の他の実施例による断面図
【図６】同実施例の使用説明図
【図７】同実施例の他の使用実施例による使用説明図
【符号の説明】
１…容器体            １ａ…測定面        １ｂ…底面
１ｃ…側面            ２…内殻体          ２ａ…内殼体表面
３…外殻体            ３ａ…外殻体内面    ４…中空部
５…液体              ６…液体表面線      ７…水平基線
８…基点              ９…左右傾斜目盛    １０…前後傾斜目盛
１１…垂直基線        １２…端点
【図１】
2005010129.tif 000003
【図２】
2005010129.tif 000004
【図３】
2005010129.tif 000005
【図４】
2005010129.tif 000006
【図５】
2005010129.tif 000007
【図６】
2005010129.tif 000008
【図７】
2005010129.tif 000009